(57)【要約】      （修正有）【課題】エアーポケット及び液溜り発生を防止し、且つ、構造が簡単で安価で操作性、作業性、安全性、経済性に優れた電着塗装用治具を提供する。【解決手段】複数の被処理製品を係止可能に設け上部左右に固定部材をそれぞれ設けた枠体と、枠体全体を支持して同時傾斜可能に設け上部中心に回動軸部を有する逆Ｔ字状吊り具と、中心下部に傾斜用回動軸受部を有する上下移動装置とタンクから取り出す際に逆Ｔ字状吊り具の左上端部に当接させて治具の枠体全体を傾斜させる為の当板から成る。該枠体は適宜な幅と厚みを有する板材を用いて矩形状に形成し、中間部に所定の間隔を保って垂直に並設した複数の固定部材を設ける。該各固定部材の上下方向には被処理製品をタンク内に侵漬時に被処理製品の筒内面部に塗装処理液を流入し易くするために右肩下降に傾斜させた複数の係止具を設ける。【選択図】図１
0003157914.tif 000002
【実用新案登録請求の範囲】
【請求項１】
塗装処理液（ＰＡ）の入ったタンク内に、筒状或いは一部筒状の形状を有する被処理製品（ＡＲ）を、多数個、同時に浸漬させたり、その後、タンクから引き上げる際、筒状内の液溜まりを防止するための電着塗装に使用する治具であって、複数の被処理製品（ＡＲ）を、上・下方向に、順次、係止可能に列設する固定部材（１ａ）を、所定間隔を保って複数列設けた枠体（１）と、該枠体（１）を、固定部材（１'）（１'）を介して吊下する逆Ｔ字状吊り具（２）と、該逆Ｔ字状吊り具（２）と回動軸部（２ａ）で枢支する上下方向移動具（３）と、該枠体（１）を吊下する逆Ｔ字状吊り具（２）が、上方に移動した際に接触し、枠体（１）を傾斜させるための当板（４）からなり、前記逆Ｔ字状吊り具（２）には、上・下方に案内され、牽引部材（Ｃ）により移動する前記上下方向移動具（３）と接続し、前記枠体（１）が、当板（４）に接触した後も上方に移動することにより、枠体（１）のうち、当板（４）側とは異なる側が上方に移動することにより傾斜し、被処理製品（ＡＲ）の筒状或いは一部筒状の残留塗料（ＰＡ'）を排出することを特徴とする電着塗装用の治具。
【請求項２】
上下方向移動具（３）の上部にガイドローラー等の場所移動装置（ＧＲ）を設けて、容易に場所移動可能に設けたことを特徴とする請求項１記載の電着塗装用の治具。
【考案の詳細な説明】
【技術分野】
【０００１】
この考案は、電着塗装用の治具に関するものである。
【背景技術】
【０００２】
従来の塗膜生成するカチオン（陽イオン）電着塗装工程において、ワーク（被処理製品）の形状や処理方法によってはエアーポケットの発生、又は、処理液溜りの発生により、塗膜不良が生じる
【０００３】
又、エアーポケットにおいて、塗料中に侵漬されたワーク（被処理製品）に空気が溜まった状態で、又は処理中の電解作用時に生じるガス（水素・酸素）による空気溜まりの状態で電着塗装を行った場合、その部位には塗膜が生成されず、素地露出となる。
【０００４】
又、液溜りにおいて、塗料が流れ出せずに液溜りが生じた部位においては、焼き付け乾燥工程で塗膜の膨れ・硬化不良・ザラ（残留物の付着）が生じる等の問題があった。
【先行技術文献】
【特許文献】
【０００５】
これまでに出願されている電着塗装関係の特許文献を参考の為、紹介する（特許文献１〜２参照）。
【特許文献１】特開２００９−１８５３０９
【特許文献２】特開２００９−１６１８２５
【考案の概要】
【考案が解決しようとする課題】
【０００６】
そこで、上記課題を解決する為に、この考案はエアーポケット及び液溜り発生を防止し、且つ、構造が簡単で安価であり、操作性、作業性、安全性、経済性に優れた電着塗装用の治具を開発・提供する事にある。
【課題を解決するための手段】
【０００７】
この課題を解決するための手段として、複数の被処理製品を係止可能に設け上部左右に固定部材をそれぞれ設けた枠体と、枠体全体を支持して同時傾斜可能に設け上部中心に回動軸部を有する逆Ｔ字状吊り具と、中心下部に傾斜用回動軸受部を有する上下移動装置とタンクから取り出す際に逆Ｔ字状吊り具の左上端部に当接させて治具の枠体全体を傾斜させる為の当板から成り、該枠体は適宜な幅と厚みを有する板材を用いて矩形状に形成し、中間部に所定の間隔を保って垂直に並設した複数の固定部材を設け、該各固定部材の上下方向には被処理製品をタンク内に侵漬時に被処理製品の筒内面部に塗装処理液を流入し易くするために右肩下降に傾斜させた複数の係止具を設けたもの。
【考案の効果】
【０００８】
この考案の効果として、複数の被処理製品を、上・下方向に、順次、係止可能に列設する固定部材を、所定間隔を保って複数列設けた枠体と、該枠体を、固定部材を介して吊下する逆Ｔ字状吊り具と、該逆Ｔ字状吊り具と回動軸部で枢支する上下方向移動具と、該枠体を吊下する逆Ｔ字状吊り具が、上方に移動した際に接触し、枠体を傾斜させるための当板からなり、前記逆Ｔ字状吊り具には、上・下方に案内され、牽引部材により移動する前記上下方向移動具と接続し、前記枠体が、当板に接触した後も上方に移動することにより、枠体のうち、当板側とは異なる側が上方に移動することにより傾斜し、被処理製品の筒状或いは一部筒状の残留塗料を排出する事で、エアーポケット及び液溜り発生を確実に防止し、且つ、構造が簡単で安価であり、操作性、作業性、安全性、絶縁性、耐久性、経済性に優れる等、極めて有益なる効果を奏するものである。
【図面の簡単な説明】
【０００９】
【図１】この考案の一実施例を示し、上下移動傾斜型電着塗装吊掛治具の正面図である。
【図２】この考案の一実施例を示し、上下移動傾斜型電着塗装吊掛治具の右側面図である。
【図３】この考案の使用例を示し、塗装処理液に侵漬時の正面図である。
【図４】この考案の使用例を示し、図３のａ−ａ矢視図である。
【図５】この考案の使用例を示し、塗装処理液に侵漬時の右側面図である。
【図６】この考案の使用例を示し、吊掛治具を上昇させて傾斜させた時の正面図である。
【図７】この考案のその他の事例を示し、場所移動装置付上下移動傾斜型電着塗装吊掛治具の正面図である。
【考案を実施するための形態】
【００１０】
この考案を実施するための形態として、塗装処理液（ＰＡ）の入ったタンク内に、筒状或いは一部筒状の形状を有する被処理製品（ＡＲ）を、多数個、同時に浸漬させたり、その後、タンクから引き上げる際、筒状内の液溜まりを防止するための電着塗装に使用する治具であって、複数の被処理製品（ＡＲ）を、上・下方向に、順次、係止可能に列設する固定部材（１ａ）を、所定間隔を保って複数列設けた枠体（１）と、該枠体（１）を、固定部材（１'）（１'）を介して吊下する逆Ｔ字状吊り具（２）と、該逆Ｔ字状吊り具（２）と回動軸部（２ａ）で枢支する上下方向移動具（３）と、該枠体（１）を吊下する逆Ｔ字状吊り具（２）が、上方に移動した際に接触し、枠体（１）を傾斜させるための当板（４）からなり、前記逆Ｔ字状吊り具（２）には、上・下方に案内され、牽引部材（Ｃ）により移動する前記上下方向移動具（３）と接続し、前記枠体（１）が、当板（４）に接触した後も上方に移動することにより、枠体（１）のうち、当板（４）側とは異なる側が上方に移動することにより傾斜し、被処理製品（ＡＲ）の筒状或いは一部筒状の残留塗料（ＰＡ'）を排出することを特徴とする電着塗装用の治具から構成される。
【００１１】
又、上下方向移動具（３）の上部にガイドローラー等の場所移動装置（ＧＲ）を設けて、容易に場所移動可能に設けたことを特徴とする電着塗装用の治具から構成される。
【実施例１】
【００１２】
そこで、この考案の一実施例を図１〜図２に基づいて詳述すると、図１に示すように枠体（１）は所定の幅と厚みを有する板材を用いて矩形状に形成し、且つ、枠体（１）の上部左右に固定部材（1'）（1'）をそれぞれ設け、且つ、枠体（１）の中間部に所定の間隔を保って垂直に並設した４個の固定部材（１ａ）を、枠体（１）の上下水平部を押え板（１ａ'）で押えてハンドル等の係止部材（Ｈ２）でそれぞれ螺着し、且つ、該各固定部材（１ａ）の上下方向には被処理製品をタンク内に浸漬時に被処理製品の筒内面部（ＡＲ'）に塗装処理液（ＰＡ）を流入し易くするために、右肩下降に傾斜させた１２個の係止金具（１ｂ）（１ｃ）をそれぞれ設けている。
【００１３】
次に、枠体を固定して垂下するための逆Ｔ字状吊り具（２）は、所定の幅と厚みを有する板材を逆Ｔ字状に形成して設け、且つ、中央上部には円筒状の回動軸部（２ａ）を前後方向に水平に固着して設け、且つ、吊り具の左右両端部には枠体（１）をハンドル等の係止部材（Ｈ１）（Ｈ１）で固定するためのネジ穴がそれぞれ設けられている。
【００１４】
次に、上下方向移動具（３）は、図１又は図２に示すように上下移動するスライド部と上下垂直方向に設けたガイドパイプ（３ｄ）から成り、且つ、該スライド部はスライドパイプの中心から所定寸法だけ偏心させて設けた回動軸受部（３ｃ）と牽引用のチェーンを係止するための係止部材（３ｂ）から成り、且つ、前記係止部材（３ｂ）には牽引用のチェーン（Ｃ）が係止され、上下移動用に設けられている。
【００１５】
次に、前記枠体（１）と逆Ｔ字状吊り具（２）と上下移動装置（３）の組立要領について説明すると、図１・図２で示すように、まず枠体（１）は、枠体の上部左右に設けた固定部材を逆Ｔ字状吊り具（２）の左右両端に引っ掛け、吊り具の左右に設けたネジ穴部にハンドル等の係止部材（Ｈ１）（Ｈ１）をそれぞれ螺着して固定する。そして、逆Ｔ字状吊り具（２）は、上部中心に設けた回動軸部（２ａ）を上下方向移動具（３）の回動軸受部（３ｃ）に軸着し、最後にスライドパイプ（３ａ）のチェーン係止部材（３ｂ）に牽引用のチェーン等の牽引部材（Ｃ）を取り付けて完了する。
【００１６】
次に、電着塗装する被処理製品の一例を紹介すると、略Ｊ字状に折り曲げ形成された被処理製品の一端側は、段違い筒状部（ＡＲ１）で、他端側は板状部（ＡＲ２）に一体形成され、中間部の筒内面部（ＡＲ'）には残留塗料（ＰＡ'）が残り易い形状に成っている。
【００１７】
次に、この考案の吊掛治具（Ｓ）への被処理製品（ＡＲ）の挿着方法及び電着塗装方法について説明すると、ます、挿着方法は図３・図４・図５に示すように被処理製品（ＡＲ）の一端側の段違い筒状部（ＡＲ１）を枠体の固定部材に固着したＣ型係止具（１ｂ）に挿着し、且つ、被処理製品（ＡＲ）の他端側の板状部（ＡＲ２）を枠体の固定部材に固着したＹ型係止具（１ｃ）（１ｃ）に挿着する。
【００１８】
続いて、電着塗装方法について説明すると、図３・図４・図５に示すように、吊掛治具（Ｓ）に予め傾斜させて挿着した複数の被処理製品（ＡＲ）を、上下方向移動具（３）のスライドパイプ（３ａ）を下降させて塗装処理液の入ったタンク内へ浸ける。そして、取り出す時も前記同様に上下方向移動具（３）のスライドパイプ（３ａ）を上昇させると、図６に示すように、逆Ｔ字状吊り具（２）の左上端部が、当板（４）の下面に当接し、更に上昇させると逆Ｔ字状吊り具（２）に係止された枠体全体が傾斜して、被処理製品（ＡＲ）の筒内面部（ＡＲ'）に溜まった残留塗料（ＰＡ'）が自然排出するよう設けられている。
【実施例２】
【００１９】
この考案のその他の実施例として、本吊掛治具の上下方向の上下方向移動具（３）に加えて、新たにガイドローラー等の場所移動装置（ＧＲ）を設けると、被処理製品（ＡＲ）の移動が楽に成り、作業性・安全性等の向上にも繋がる。
【産業上の利用可能性】
【００２０】
この考案の上下移動傾斜型電着塗装吊掛治具は、エアーポケット及び液溜り発生を防止し、且つ、構造が簡単で安価であり、操作性、作業性、安全性、経済性に優れているため、多くの自動車部品関係市場等に寄与する点で産業上の利用可能性を有する。
【符号の説明】
【００２１】
１  枠体
１'  固定部材
１ａ  固定部材
１ａ'  押え板
１ｂ  係止金具（Ｃ型）
１ｃ  係止金具（Ｙ型）
２  逆Ｔ字状吊り具
２ａ  回動軸部
３  上下方向移動具
３ａ  スライドパイプ
３ｂ  チェーン係止部材
3ｃ  回動軸受部
３ｄ  ガイドパイプ
４  当板
ＡＲ  被処理製品
ＡＲ'  筒内残留塗料
ＡＲ１  段違い筒状部
ＡＲ２  板状部
Ｃ  チェーン等の牽引部材
ＧＲ  場所移動装置
Ｈ１  ハンドル等の係止部材
Ｈ２  ハンドル等の係止部材
ＰＡ  塗装処理液
ＰＡ'  製品管内残留塗料
Ｓ  上下移動傾斜型電着塗装吊掛治具
Ｘ  回動軸中心部
α  所定角度
【図１】
0003157914.tif 000003
【図２】
0003157914.tif 000004
【図３】
0003157914.tif 000005
【図４】
0003157914.tif 000006
【図５】
0003157914.tif 000007
【図６】
0003157914.tif 000008
【図７】
0003157914.tif 000009